(57)【要約】【課題】本発明では、クッション部に載上している人の位置ズレを防止することができ、長期間に亘って使用しても、形態安定性を維持できるとともに耐久性を有する寝具の提供を主たる目的とする。【解決手段】少なくとも上面を長手方向にかけて凹凸状に形成したクッション部１１を、下側から支持する支持フレーム１２の幅よりも幅大に形成し、上記クッション部１１を被覆するクッション被覆部１６と、上記支持フレーム１２を被覆する支持フレーム被覆部１７とを一体に形成した被覆カバー１３を、上記クッション被覆部１６が上記支持フレーム被覆部１７に対して幅方向において段状に突き出した形態になるよう形成した寝具１０。【選択図】図１
2008168164.tif 000002
【特許請求の範囲】
【請求項１】
少なくとも上面を長手方向にかけて凹凸状に形成したクッション部と、該クッション部の下側に、上記クッション部を支持する支持フレームとが設けられている
寝具。
【請求項２】
上記クッション部の上下各側の面を、長手方向にかけて凹凸状に形成した
請求項１に記載の寝具。
【請求項３】
上記クッション部を、上記支持フレームの幅よりも幅大に形成し、
上記クッション部を、その長さ方向にかけて複数のクッション片部材を配置させて構成し、
上記クッション部を被覆するクッション被覆部と、上記支持フレームを被覆する支持フレーム被覆部とを一体に形成した被覆カバーを具備し、
上記被覆カバーを、上記支持フレーム被覆部が支持フレームの外郭形状に、上記クッション被覆部がクッション部の外郭形状にそれぞれ相当する形状、及び、大きさにより形成して、上記クッション被覆部が上記支持フレーム被覆部に対して幅方向において段状に突き出した形態になるよう形成した
請求項１又は請求項２に記載の寝具。
【請求項４】
上記クッション被覆部の内側に、複数の上記クッション片部材のそれぞれを区分けした状態で収容するクッション収容部を形成した
請求項３に記載の寝具。
【請求項５】
上記クッション片部材の上記クッション収容部に対する出し入れ用の開閉部を、上記クッション収容部における、上記支持フレーム被覆部との対向面側に、上記支持フレームの幅方向にかけて形成した
請求項４に記載の寝具。
【請求項６】
上記開閉部を開閉する開閉手段は、一対のスライドファスナであり、
上記一対のスライドファスナにおける一方の側を上記開閉部の一方の側の縁部に形成するとともに、上記一対のスライドファスナにおける他方の側を上記開閉部の他方の側の縁部に形成した
請求項５に記載の寝具。
【請求項７】
上記支持フレームは、その長さ方向における所定部位にラチェット部材を介在させて折り曲げ可能に構成した
請求項１から請求項６のいずれか一項に記載の寝具。
【発明の詳細な説明】
【技術分野】
【０００１】
この発明は、ソファー型や座椅子型へ変換可能な構成も含めたベッド、マットレスなどの寝具に関する。
【背景技術】
【０００２】
従来から表面側をその長手方向にかけて積極的に凹凸状に構成した様々なタイプの寝具、或いは、寝具などを外装するために用いる外装材が開示されている。
【０００３】
例えば、下記特許文献１においては、「ソファー及びマットレス等の外装材」が開示されている。
【０００４】
上記特許文献１における外装材は、表地と伸縮性の有する基布との間にクッション材（３）を、基布（２）にテンションを加えた状態でキルティング加工して形成されている。基布（２）に加えたテンションを解除したとき、表面側をその長手方向に沿って、均一な凹凸状に形成することができる。
【０００５】
しかし、上記特許文献１における例えば、マットレスを構成するクッション材（３）や基布（２）は、柔軟性を有する素材であり、特に、表面の長手方向におけるキルティング（４）が形成されている部位は、凹状であり、厚みが薄いため、マットレスを接地する接地面の形状に応じて表面の形状にあらわれ易く、形態安定性が低いといえる。
【０００６】
従って、上記特許文献１におけるマットレスは、接地する場所が平らでなければ使用感に悪影響を及ぼしがちであるため、事実上、接地場所に制約を受けてしまうという課題を有する。
【０００７】
さらに、形態安定性が低いため、座椅子などの形態へ変換することができない。
【０００８】
また、上記特許文献１における外装材は、表面側が凹凸状であるため、該凹凸状の凸部が載上している人の人体部位に積極的に当接したり、凹凸状の凹部に人体部位が入り込んだりするため、身体が長手方向へ位置ズレないよう保持力を発揮することができ、床ズレ（位置ズレ）を阻止することができるなどの効果を奏することができる旨が開示されている。
【０００９】
ところが、上記外装材は、特に、このように長手方向への位置ズレを阻止できる構成である反面、その分、位置ズレしようとする力（以下、位置ズレ力とする）が外装材の特にキルティング加工した部位に加わることになる。
【００１０】
しかも、外装材の長手方向へ作用する位置ズレ力は、外装材の幅方向にかけて形成したキルティング部（４）に対して垂直方向に加わることになり、キルティング加工をした部位は、位置ズレによる負荷を積極的に受けることになる。
【００１１】
すなわち、このような凹凸状の表面を有する寝具は、通常の寝具と比較して長手方向の位置ズレを阻止できる反面、表皮のキルティング加工をした部位、或いは、内部のクッション材に負荷がかかり易いため、傷み易いという課題を有する。
【００１２】
【特許文献１】実開昭６２−９５７００号公報
【発明の開示】
【発明が解決しようとする課題】
【００１３】
そこで本発明では、クッション部に載上している人の位置ズレを防止することができ、長期間に亘って使用しても、形態安定性を維持できるとともに耐久性を有する寝具の提供を主たる目的とする。
【課題を解決するための手段】
【００１４】
本発明における寝具は、少なくとも上面を長手方向にかけて凹凸状に形成したクッション部と、該クッション部の下側に、上記クッション部を支持する支持フレームとが設けられていることを特徴とする。
【００１５】
また、本発明における寝具は、上記クッション部の上下各側の面を、長手方向にかけて凹凸状に形成したことを特徴とする。
【００１６】
本発明における寝具は、上記クッション部を、上記支持フレームの幅よりも幅大に形成し、上記クッション部を、その長さ方向にかけて複数のクッション片部材を配置させて構成し、上記クッション部を被覆するクッション被覆部と、上記支持フレームを被覆する支持フレーム被覆部とを一体に形成した被覆カバーを具備し、上記被覆カバーを、上記支持フレーム被覆部が支持フレームの外郭形状に、上記クッション被覆部がクッション部の外郭形状にそれぞれ相当する形状、及び、大きさにより形成して、上記クッション被覆部が上記支持フレーム被覆部に対して幅方向において段状に突き出した形態になるよう形成したことを特徴とする。
【００１７】
本発明における寝具には、ベッド、マットレス、座椅子、ソファーを含み、さらに、座椅子型やソファー型などの形態へ変換することのできるベッド、マットレスをも含む。
【００１８】
また、本発明における寝具は、上記クッション被覆部の内側に、複数の上記クッション片部材のそれぞれを区分けした状態で収容するクッション収容部を形成することが好ましい。
【００１９】
さらに、上記クッション片部材の上記クッション収容部に対する出し入れ用の開閉部を、上記クッション収容部における、上記支持フレーム被覆部との対向面側に、上記支持フレームの幅方向にかけて形成することが好ましい。
【００２０】
さらにまた、上記開閉部を開閉する開閉手段には、面ファスナ、スナップ、ボタン、ホックなど適用することができるが、上記一対のスライドファスナを適用することが好ましい。その際、上記一対のスライドファスナにおける一方の側を上記開閉部の一方の側の縁部に形成するとともに、上記一対のスライドファスナにおける他方の側を上記開閉部の他方の側の縁部に形成とよい。
【００２１】
また、上記支持フレームを、その長さ方向における所定部位にラチェット部材を介在させて折り曲げ可能に構成することが好ましい。
【発明の効果】
【００２２】
請求項１における発明によれば、本発明の寝具は、クッション部の表面側が凹凸状表面に形成されているため、寝具に載上している人の特に、長手方向への位置ズレを積極的に阻止することができる。
【００２３】
しかも、上面を凹凸状に形成したクッション部における凹状の部位は、凸状の部位と比較してクッション部の厚みが薄くなるが、その場合でも本発明における寝具は、支持フレームによりクッション部を下側から支持する構成を採るため、クッション部全体の形態安定性を維持することができる。
【００２４】
さらに、請求項１における発明によれば、本発明の寝具は、クッション部の表面側が凹凸状表面に形成されているため、人が載上したとき、人体部位との間に隙間が生じ易くなるため、通気性を確保することができるという効果も奏することができる。
【００２５】
請求項２における発明によれば、上記クッション部における上下各側の面を、該クッション部の長手方向にかけて凹凸状に形成することにより、クッション部の上下各側の面に有する凹凸状の部位における凹状の部位により、クッション部を上下両側からバランスよく保持することができ、クッション部自体の形態安定性を向上させることができる。
【００２６】
さらに、請求項３における発明によれば、本発明の寝具は、上記クッション被覆部が上記支持フレーム被覆部に対して幅方向において段状に突き出した形態になるよう被覆カバーが形成されている。このため、寝具の幅方向の両側に有する、長さ方向にかけて形成した、上記クッション被覆部と上記支持フレーム被覆部との結合部位を、クッション部の幅方向の両端相当部に対して中央側部位に形成することができる。
【００２７】
上記長手方向にかけて形成した、上記クッション被覆部と上記支持フレーム被覆部との上記結合部位は、長手方向の位置ズレ力が加わる方向と略同じ方向に形成されることになるため、長手方向の位置ズレ力に対しての耐久性を有しているといえる。しかも、クッション部の表面側における幅方向の中央側部位は、人が主に載上する部位であることから特に長手方向に位置ズレが発生し易い部位であるといえる。
【００２８】
このような観点から、上述したように被覆カバーにおける上記クッション被覆部と上記支持フレーム被覆部との上記結合部位を、被覆カバーの幅方向の中央側に上記長手方向にかけて形成することにより、該結合部位がクッション部の表面側における幅方向の中央側部位において発生した位置ズレ力を効果的に受け止めることができるため、本発明の寝具に具備する被覆カバーは、有効であるといえる。
【００２９】
従って、本発明の寝具は、クッション部の上面がクッション部の長手方向にかけて凹凸状に形成しているため、積極的に位置ズレによる負荷を受ける構成であるが、上述した形態の被覆カバーを具備することにより、被覆カバー全体の耐久性、及び、強度を向上させることができるとともに、位置ズレ力による負荷に対してのクッション部の形態安定性を確保することができる。
【００３０】
その他にも、請求項３における寝具は、クッション部の少なくとも上面が凹凸状に形成され、支持フレームとクッション部とに対してそれぞれに相当する形状、及び、大きさにより一体に形成した被覆カバーにより被覆した形態であるため、優れた外観で構成することができる。
【００３１】
請求項４における発明によれば、各クッション片部材をクッション収容部ごとに区分けした状態で収容すれば、より被覆カバーが各クッション片部材を保持した状態で被覆でき、さらに形態安定性を向上させることができる。
【００３２】
請求項５における発明によれば、上記開閉部を、上記クッション収容部における、人が載上する側ではなく、上記支持フレーム被覆部との対向面側に形成することにより、該開閉部が直接、人へ接触してしまうことなく快適性を損なわず、また、被覆カバーの内側に形成することにより開閉部自体が外側から視認されないため、外観を損なわない。
【００３３】
請求項６における発明によれば、スライドファスナで形成すれば、開閉部を隙間なく、しっかりと閉じることができるとともに、開閉操作を容易に行える。
【００３４】
請求項７における発明によれば、上記支持フレームを折り曲げ可能に構成すれば、ソファー型や座椅子型へ任意の形態へ変換して用いることができる。
【００３５】
特に、本発明における寝具は、例えば、背凭れ部を起立させてソファー型に変換したときであっても、クッション部の少なくとも上面が凹凸状表面であるため、載上している人の背部や臀部の位置ズレを阻止することができ、安定した着座状態を維持することができるため有効である。
【発明を実施するための最良の形態】
【００３６】
この発明の一実施形態を、以下図面を用いて説明する。
［実施例１］
【００３７】
図１（ａ）は、本実施形態におけるベッド１０の外観を示し、図１（ｂ）は、本実施形態におけるベッド１０を座椅子型に変換した状態の外観を示す。
【００３８】
図２は、本実施形態におけるベッド１０の平面図（ａ）、正面図（ｂ）、底面図（ｃ）を示す。
【００３９】
本実施形態のベッド１０は、図１、及び、図２に示したように人が載上する載上部１１ａを上面側に構成する平面視矩形をしたクッション部１１を上部に具備している。上記クッション部１１は、下側から支持フレーム１２によって支持されている。上記クッション部１１と上記支持フレーム１２とは、被覆カバー１３により被覆されている。上記被覆カバー１３によって被覆されたクッション部１１、及び、支持フレーム１２は、該支持フレーム１２のさらに下側から基台１４により支持されている。上記基台１４は、床面などの接地面に接地されている。
【００４０】
以下、本実施形態のベッド１０を構成する各部材の具体的な構成について説明する。  
ここで、本実施形態のベッド１０は、長手方向における、クッション部１１の載上部１１ａに人が倒伏したとき、身体の略頭部、略背部、略臀部、脚部の略膝上、及び、脚部の略膝下のそれぞれに相当する部位を、順に頭部相当部Ａ、背部相当部Ｂ、臀部相当部Ｃ、膝上相当部Ｄ、膝下相当部Ｅに設定するものとする（図２（ａ）参照）。
【００４１】
上記クッション部１１は、図３（ｄ），（ｅ）に示したように長手方向において配置した状態の８つのクッション片部材１５により構成される。  
なお、図３（ｄ）は、図２（ｂ）のＡ−Ａ断面図、図３（ｅ）は、図２（ａ）のＣ−Ｃ断面図である。
【００４２】
上記クッション片部材１５は、クッション部１１を構成すべく配置する上記各配置部位に対応させた大きさで、且つ、枕状の形態で弾性ウレタン部材により形成されている。さらに、上記クッション片部材１５は、上記支持フレーム１２の幅間に横架させることのできる長さを備えて形成されている。
【００４３】
また、上述した支持フレーム１２は、角材により構成され、図３（ｅ）に示したように頭部相当部Ａ、背部相当部Ｂ、臀部相当部Ｃ、膝上相当部Ｄ、及び、膝下相当部Ｅのそれぞれに順に具備した背部フレーム１２Ａ、背部フレーム１２Ｂ、臀部フレーム１２Ｃ、膝上フレーム１２Ｄ、膝下フレーム１２Ｅを長手方向に連結して構成される。  
なお、図４（ｆ）は、図２（ｂ）のＤ−Ｄ端面図である。
【００４４】
これら各フレーム１２Ａ，１２Ｂ，１２Ｃ，１２Ｄ，１２Ｅの連結部は、公知のラチェット部材１８を介して連結され、段階的に屈曲可能に構成される。
【００４５】
なお、上記支持フレーム１２の長手方向における両側に有する頭部フレーム１２Ａ、及び、膝下フレーム１２Ｅは、それぞれ平面視コの字形をしたフレーム部材が長手方向において互いに対向するよう中央側に背部フレーム１２Ｂ、臀部フレーム１２Ｃ、及び、膝上フレーム１２Ｄを介して連結している。さらに、上記各フレーム１２Ａから１２Ｅは、該各フレーム１２Ａから１２Ｅを構成するフレーム部材に適宜、補強フレームを幅方向に横架させて一体に構成している。
【００４６】
続いて上記被覆カバー１３は、図３（ｅ）、及び、図４（ｇ）に示したように、表面全体を手触りが良好な生地により形成し、上下方向の上側に有するクッション部１１と、下側に有する支持フレーム１２とを一体に被覆可能な大きさを有した袋状に形成されている。  
なお、図４（ｇ）は、図２（ｂ）の支持フレーム１２を省略した状態のベッドのＢ−Ｂ断面図である。
【００４７】
具体的に、被覆カバー１３は、上記図３の特に図３（ｄ）、及び、図４（ｇ）の各要部拡大図に示したように該被覆カバー１３の厚み方向の上側にクッション部１１を被覆するクッション被覆部１６と、該被覆カバー１３の厚み方向の下側に支持フレーム１２を被覆する支持フレーム被覆部１７とを具備して構成される。
【００４８】
上記クッション被覆部１６は、被覆したときクッション部１１に略密着するよう、クッション部１１と略同一のサイズ、形状により形成している。これに対して、上記支持フレーム被覆部１７は、被覆したとき支持フレーム１２に略密着するよう、支持フレーム１２の外郭と略同一のサイズ、形状により形成されている。
【００４９】
さらに、上記被覆カバー１３は、図５（ｉ）の要部拡大図に示したようにクッション被覆部１６と支持フレーム被覆部１７とにおける接合部位を縫着することにより一体に形成されている。  
なお、図５（ｈ）は、ベッド１０の右側面図であり、図５（ｉ）は、図２（ｂ）のベッド１０のＥ−Ｅ断面図である。
【００５０】
よって、被覆カバー１３は、図５（ｈ），（ｉ）に示したようにその幅方向の両側においてクッション被覆部１６が支持フレーム被覆部１７に対して段状に突き出した形態により形成することができる。
【００５１】
ここで、上記クッション被覆部１６と支持フレーム被覆部１７とを接合すべく、縫着した縫着部のうち、被覆カバー１３の長手方向へかけて直線状に形成された縫着部を、長手方向縫着ライン部２１に設定するものとする。
【００５２】
なお、上記支持フレーム１２に対する上記クッション部１１の突き出し量は、適宜、クッション部１１や被覆カバー１３の素材や、クッション部１１と支持フレーム１２との大きさの比などによって設定することができ、目安として少なくとも２５ｍｍ以上突き出していればよい。本実施例におけるベッド１０は、支持フレーム１２の幅が６００ｍｍ、クッション部の幅が７００ｍｍになるよう構成され、クッション部１１が支持フレーム１２に対して幅方向において５０ｍｍづつ左右各側に突き出した突き出し量により構成している。
【００５３】
また、クッション被覆部１６の内部は、各クッション片部材１５を他のクッション片部材１５と区分けした状態で配置すべく、長手方向に配置した状態の８つのクッション片部材１５のそれぞれに対応する各部位に、クッション片部材１５を収容可能なクッション片収容部２２を形成している（図３（ｄ），（ｅ）、及び、図５（ｉ）参照）。
【００５４】
さらに、上記クッション片収容部２２は、上記クッション被覆部１６における長手方向において互いに隣接する各クッション片収容部２２どうしの境界部位を、縫着することにより区分されている（図３（ｄ），（ｅ）参照）。
【００５５】
ここで、各クッション片収容部２２どうしの境界となる部位は、クッション部１１の幅方向に沿って縫着されているため、該縫着部を幅方向縫着ライン部２３に設定するものとする。
【００５６】
上述したように、各クッション片収容部２２の上記境界部を縫着することにより、クッション被覆部１６にクッション片部材１５を被覆させたとき、クッション部１１における上記幅方向縫着ライン部２３に相当する部位を、厚み方向に収縮させることができる。このため、クッション部１１の表面における上記幅方向縫着ライン部２３に相当する部位を凹状に構成することができる。
【００５７】
また、上記被覆カバー１３には、クッション片収容部２２の一部を構成するシート状部材が被覆カバー１３の内部のクッション被覆部１６と支持フレーム被覆部１７との上下方向における境界部位に配されている（図４（ｇ）の要部拡大図参照）。
【００５８】
ここで、上記シート状部材を区分け用シート部２２ａに設定するものとする。
【００５９】
さらに、クッション片収容部２２における上記区分け用シート部２２ａには、その幅方向の中間部に、クッション片収容部２２の内部にクッション片部材１５を収容、或いは、取り出しが可能とすべく、開閉部２４が形成されている（図４（ｇ）参照）。
【００６０】
さらにまた、上記開閉部２４の一方の縁部には、一方のスライドファスナ２５ａが縫着されるとともに、上記開閉部２４の他方の縁部には、他方のスライドファスナ２５ｂが縫着され、開閉部２４をスライダにより開閉自在に形成している（図３（ｅ），図４（ｇ）の要部拡大図参照）。
【００６１】
さらに、上記支持フレーム被覆部１７の下端部には、被覆カバー１３内に対して、支持フレーム１２、或いは、クッション片部材１５の出し入れが可能とする被覆カバー開閉部２６が形成されている。上記被覆カバー開閉部２６についても、その一方の開閉縁部には、一方のスライドファスナ２７ａが縫着されるとともに、他方の開閉縁部には、他方のスライドファスナ２７ｂが縫着されている（図５（ｉ）の要部拡大図，及び、図６参照）。
【００６２】
なお、上記被覆カバー開閉部２６の開閉縁部における、上記一対のスライドファスナ２７ａ，２７ｂを縫着した部位よりもさらに外側部位には、図示しないが紐状の布が上記一対のスライドファスナ２７ａ，２７ｂを隠蔽できるよう縫着され、見栄えを確保している。
【００６３】
最後に、上記基台１４は、上記図２（ｂ），（ｃ）に示したように４本の円柱状の脚体３１を具備している。上記４本の脚体３１は、ベッド１０の長手方向における脚部側の端部、背凭れ相当部の略中間部に相当する部位において左右各側に１本ずつ起立させた状態で配している。さらに、ベッド１０の左右各側において前後の脚体３１どうしを基部フレーム３２により連結し、左右各側の基部フレーム３２どうしを幅方向に横架して補強する補強フレーム３３により連結して一体に構成している。
【００６４】
本実施形態におけるベッド１０を構成する上述した各構成部材は、以下で図６を用いて述べる手順により一体化することによって、上記図１（ａ）に示したようなベッド型の形態を構成することができる。
【００６５】
まず、まだ何も被覆していない状態の被覆カバー１３における被覆カバー開閉部２６を開口させておくとともに、被覆カバー１３の内部に有する、各クッション片収容部２２の開閉部２４を開口させておく。
【００６６】
そして、８つのクッション片部材１５をそれぞれに対応する各クッション片収容部２２に開閉部２４を通じて収容した状態で一対のスライドファスナ２５ａ，２５ｂどうしを係合させることにより、各クッション片収容部２２の開閉部２４を閉口させる（図５中の矢印Ｘ参照）。
【００６７】
さらに、この被覆カバー１３における支持フレーム被覆部１７に上記被覆カバー開閉部２６を通じて支持フレーム１２を収容し（図６中の矢印Ｙ参照）、一対のスライドファスナ２７ａ，２７ｂどうしを係合させることにより、上記被覆カバー開閉部２６を閉口する（図６中の矢印Ｚ参照）。
【００６８】
以上により、クッション部１１、及び、支持フレーム１２は、被覆カバー１３によって被覆することができる。
【００６９】
なお、被覆カバー１３によって被覆したクッション部１１、及び、支持フレーム１２は、直接、接地面に接地させて用いることができ、上記マットレスとして、或いは、座椅子として用いることができる。
【００７０】
さらに、被覆カバー１３に被覆したクッション部１１、及び、支持フレーム１２の基台１４への取付けは、支持フレーム１２における臀部フレーム１２Ｃと、基台１４における上記臀部フレーム１２Ｃとの対向部位とにおける各所定部位に予め形成された連通孔にボルト（図示せず）を、被覆カバー１３の一部を介した状態で連通させて、共締めすることにより行うことができる。
【００７１】
本実施例におけるベッド１０は、上述したようにして各構成部材を一体化させることができる。以下では、上記ベッド１０が奏することのできる作用、効果について説明する。
【００７２】
本実施例におけるベッド１０は、クッション部１１の載上部１１ａが凹凸状に形成されているため、ベッド１０に載上した人の特に長手方向の位置ズレを阻止することができるため、床ずれなどを阻止することができ、クッション部１１の形態安定性を保つことができる。
【００７３】
すなわち、本実施例におけるベッド１０は、クッション部１１におけるクッション片部材１５に相当する部位が上方に膨出した凸状の部位を載上部１１ａに構成することができる。この凸状の部位が載上部１１ａに載上している人の人体部位に対して積極的に当接することになるためである。
【００７４】
さらに、クッション部１１の表面側における凹状の部位に、載上部１１ａに載上している人の人体部位が引っ掛かることになるためである。
【００７５】
ところで、実施例１のベッド１０を、図１（ｂ）、及び、図７（ｊ），（ｋ）に示したように座椅子型に変換した場合、頭部相当部Ａ、及び、背部相当部Ｂが臀部相当部Ｃに対して例えば、４５度か程度、傾いた姿勢となるため、座椅子型のベッド１０に載上している人の人体部位のうち、特に背部、臀部には、その自重によってベッド１０の長手方向における脚部側へ位置ズレしようとする位置ズレ力Ｐ（図７中の矢印参照）が作用することになる。  
なお、図７（ａ）は、図７（ｂ）の平面図を示す。
【００７６】
しかし、本実施形態のベッド１０であれば、載上部１１ａを凹凸状に形成しているため、上述したように座椅子型に変換した場合であっても位置ズレしてしまうことを完全に阻止することができるため、特に有効である。
【００７７】
しかも、本実施例におけるベッド１０は、上述したようにクッション部１１を構成する各クッション片部材１５は、各クッション片収容部２２に収容された状態であり、各クッション片部材１５と支持フレーム１２とは、被覆カバー１３が略密着した状態により一体に被覆されている（図５（ｉ）参照）。
【００７８】
このため、各クッション片部材１５は、被覆カバー１３によって、しっかりと保持された状態を維持でき、人体部位に作用する位置ズレ力を阻止するための反作用力（負荷）がクッション片部材１５に加わっても該クッション片部材１５が位置ズレしたり、不測の形態に変形したりしてしまうことがなく安定性を維持することができる。
【００７９】
さらに、被覆カバー１３のクッション被覆部１６と支持フレーム被覆部１７とを接合する上記長手方向縫着ライン部２１は、人体部位に位置ズレ力が作用する方向と同じ長手方向に沿って形成されていることから（図５（ｉ）の要部拡大図、及び、図７（ｊ），（ｋ）参照）、この長手方向に作用する位置ズレ力に対しては、非常に強い耐久性を発揮することができる。
【００８０】
特筆すべきは、本実施形態におけるベッド１０を、被覆カバー１３におけるクッション被覆部１６に対して支持フレーム被覆部１７が幅小になるよう形成することにより（図５（ｉ）の要部拡大図参照）、被覆カバー１３における上記長手方向縫着ライン部２１を、クッション部１１被覆部の下側において積極的に幅方向における中央側に配した状態で形成することができる。
【００８１】
すなわち、載上部１１ａを凹凸状に形成したクッション部１１が上述したような位置ズレ力Ｐを受けた場合（図７（ｊ），（ｋ）参照）、特に長手方向縫着ライン部２１に対して負荷が加わることになるが、上述したように長手方向縫着ライン部２１を、位置ズレ力Ｐが積極的に作用する幅方向の中央側に近い側に積極的に設けることにより、該長手方向縫着ライン部２１が長手方向の位置ズレ力をダイレクトに受け止めることができる。
【００８２】
従って、被覆カバー１３は、長期に亘って使用しても、長手方向の位置ズレ力によってクッション部１１の特に、人がよく載上する幅方向の中央部位が疲労したり、長手方向縫着ライン部２１の縫着糸が解れたりしてしまうこともなく、耐久性が向上する。
【００８３】
このように、本実施形態の被覆カバー１３は、単に内部構成を隠蔽するために外側から覆っていた従来の被覆カバーとは異なり、強度、耐久性を確保できる。
【００８４】
また、効率的に強度、耐久性を確保できる形態により構成することにより、強度を有する特殊な素材の生地や補強部材などを具備することがない。
【００８５】
具体的に、本実施例の被覆カバー１３で被覆するだけで、支持フレーム１２に対してクッション部１１を取り付けるための専用のベルトなどの保持部材を別途、具備する必要がなく、支持フレーム１２、及び、クッション部１１を保持できるため、クッション表面側に例えば、上記ベルトなどの保持部材を配する必要もないため、載上部１１ａの柔軟性が損なわれることがない。
【００８６】
その他にも、本実施例におけるベッド１０は、様々な効果を奏することができる。  
例えば、本実施例におけるベッド１０は、クッション部１１の載上部１１ａが凹凸状に形成されているため、クッション部１１の載上部１１ａに人が載上したとき、クッション部１１の凹状に相当する部位において人とクッション部１１との間に隙間を確保でき、人とクッション部１１との間の通気性を確保することができる。よって、人は、快適性を維持した状態で載上できる。
【００８７】
さらに、本実施例におけるベッド１０は、表面側を凹凸に並んだウェーブ状の形態であり、幅方向の両端部は、フレームなど内部構成を隠蔽していることは勿論、支持フレーム１２、皺や弛みがない略密着した段状の形態で意匠的に優れた外観で形成することができる。
［実施例２］
【００８８】
次に、実施例２におけるベッド２０について説明する。  
但し、実施例２におけるベッド２０の構成のうち、実施例１のベッド２０と同様の構成については、同一の符号を付してその説明を省略する。さらに、長手方向の略中間部位に対して頭部側を頭部側構成部Ａに設定するとともに、脚部側を脚部側構成部Ｂに設定するものとする。
【００８９】
実施例２におけるベッド２０は、図８（ａ），（ｂ）に示したように折畳み可能に構成されている。さらに、実施例２におけるベッド２０は、実施例１における支持フレーム１２、被覆カバー１３、基台１４にそれぞれ対応する支持フレーム５２、被覆カバー５３、基台５４を具備している。
【００９０】
まず、上記支持フレーム５２は、頭部側構成部Ａに有する頭部側支持フレーム部５２Ａと、脚部側構成部Ｂに有する脚部側支持フレーム部５２Ｂとを具備して構成される。
【００９１】
被覆カバー５３も頭部側構成部Ａに有する頭部側被覆カバー５３Ａと脚部側構成部Ｂに有する脚部側被覆カバー５３Ｂとを具備して構成される。
【００９２】
頭部側被覆カバー５３Ａは、頭部側構成部Ａにおいて４つのクッション片部材１５を配置した状態で被覆するクッション被覆部５３ａと、頭部側支持フレーム部５２Ａを被覆する支持フレーム被覆部５３ｂとを一体にして構成している。  
脚部側被覆カバー５３Ｂは、脚部側構成部Ｂにおいて４つのクッション片部材１５を配置した状態で被覆するするクッション被覆部５３ａと、脚部側支持フレーム部５２Ｂを被覆する支持フレーム被覆部５３ｂとを一体にして構成している。
【００９３】
基台５４についても、頭部側構成部Ａに有する頭部側基台フレーム５４Ａと、脚部側構成部Ｂに有する頭部側基台フレーム５４Ｂとを具備して構成される。
【００９４】
頭部側基台フレーム５４Ａの頭部側端部の中央部には、頭部側支持脚５５を立設した状態で熱溶着している。上記頭部側支持脚５５は、その下部に有したキャスタ５５ａを介して接地されており、該頭部側支持脚５５の上部の中央部には、頭部方向へ向けてキャスタ５５ｂが突き出した形態で枢着されている。
【００９５】
また、頭部側基台フレーム５４Ｂにおける脚部側の幅方向の両側には、逆Ｔ字形をして、下部の前後方向に２つのキャスタ５６ａを有した脚部側支持脚５６を枢着している。  
上記頭部側基台フレーム５４Ｂの幅方向における各側からは、その長手方向に沿って棒状の部材が外側へ突き出した形態の取手５７を延設している。
【００９６】
さらに、上記基台フレームには、長手方向の中間部において幅方向の両側から下降し、その下端部どうしが接地面沿いを幅方向に配して一体に連結した形態の中間支持脚５８を具備している。さらに、頭部側基台フレーム５４Ａと頭部側基台フレーム５４Ｂとの各対向縁部は、ブラケット５９を介して逆Ｖ字形に折り畳み可能に枢着されている。上記中間支持脚５８の上端部は、ブラケット５９に熱溶着されている。
【００９７】
また、折り畳み動作を円滑に行うための付勢バネ６０を支持フレーム５２の前後両側と、中間支持脚５８の下端に有する上記設置杆５８ａとに、幅方向の左側に係止して側面視Ｖ字状に張架している。
【００９８】
上記構成を採るベッド２０は、特に、折畳み型ベッドが奏することができる効果に加えて以下のような特筆すべき効果を奏することができる。
【００９９】
上記構成を採るベッド２０は、実施例１におけるベッド１０と同様に図９の要部拡大図に示したように出来るだけ広い載上部１１ａを確保すべく、クッション部１１が基台５４に対して突き出した形態で形成している。  
なお、図９は、図８（ａ）のＦ−Ｆ断面図である。
【０１００】
しかも、被覆フレーム５３は、特に支持フレーム被覆部５３ｂを支持フレーム５２に略密着するようクッション被覆部５３ａよりも積極的に幅小に形成している。すなわち、被覆カバー５３における支持フレーム被覆部５３ｂの幅方向における両端側に、空間部Ｅを確保することができる。
【０１０１】
このため、ベッド型の形態を折畳む場合、或いは、ベッド型へ変換する場合において、被覆カバー５３の特に支持フレーム被覆部５３ｂが基台フレーム５４に具備した取手５７を把持する際の妨げになることがなく（図９の要部拡大図参照）、容易に把持して折り畳むことができるという特有の効果を奏することができる。
【０１０２】
上述の実施形態と、この発明の構成との対応において、この実施形態のベッド１０，２０は、この発明の寝具に対応し、
同様に、載上面１１ａは、クッション部の上面に対応し、
クッション片収容部２２は、クッション収容部に対応するも、この発明は、上述の実施形態の構成のみに限定されるものではなく、上述したように多くの実施の形態を得ることができる。
【図面の簡単な説明】
【０１０３】
【図１】実施例１におけるベッドの外観図（ａ）、椅子型にした実施例１おけるベッドの外観図（ｂ）。
【図２】図１（ａ）で示したベッドの平面図（ａ）、正面図（ｂ）、底面図（ｃ）。
【図３】図２（ｂ）で示したベッドのＡ−Ａ断面図（ｄ）、Ｃ−Ｃ断面図（ｅ）。
【図４】図２（ｂ）で示したベッドのＤ−Ｄ端面図（ｆ）、図２（ｂ）で示したベッドの支持フレームを省略したＢ−Ｂ断面図（ｇ）。
【図５】図１（ａ）で示したベッドの右側面図（ｈ）、一部拡大して示した図２（ｂ）のＥ−Ｅ断面図（ｉ）。
【図６】斜め下方から視て実施例１のベッドの構成部材を一体化する手順の一過程を説明する説明図。
【図７】実施例１におけるベッドの使用状態における作用説明図（ｊ），（ｋ）。
【図８】実施例２におけるベッドの正面図（ａ）、折り畳んだ状態を示す実施例２におけるベッドの正面図（ｂ）。
【図９】一部拡大して示した図８（ａ）のＦ−Ｆ断面図。
【符号の説明】
【０１０４】
１０，２０…ベッド
１１…クッション部
１２，５２…支持フレーム
１３，５３…被覆カバー
１５…クッション片部材
１６，５３ａ…クッション被覆部
１７，５３ｂ…支持フレーム被覆部
２１…長手方向縫着ライン部
２２…クッション片収容部
２４…開閉部
２５…一対のスライドファスナ
【図１】
2008168164.tif 000003
【図２】
2008168164.tif 000004
【図３】
2008168164.tif 000005
【図４】
2008168164.tif 000006
【図５】
2008168164.tif 000007
【図６】
2008168164.tif 000008
【図７】
2008168164.tif 000009
【図８】
2008168164.tif 000010
【図９】
2008168164.tif 000011